(57)【特許請求の範囲】
【請求項１】
対物レンズとトラッキング用コイル及びフォーカシング用コイルとを備えるレンズホルダーをフォーカス方向及びトラッキング方向に変位可能に保持するベース部材に、上記レンズホルダーのフォーカシング用コイルに対向配備されるマグネットが取り付けられた立上り片が曲成されていて、上記レンズホルダーが、フォーカス方向及びトラッキング方向に変位制御されるようになっている光学ピックアップの二軸アクチュエータにおいて、
上記立上り片の上端から根元の曲成部に至る全高部分で根元に近い箇所ほど幅広になるように拡幅することによって上記ベース部材の強度を高めていることを特徴とする光学ピックアップの二軸アクチュエータ。
【請求項２】
対物レンズとトラッキング用コイル及びフォーカシング用コイルとを備えるレンズホルダーをフォーカス方向及びトラッキング方向に変位可能に保持するベース部材に、上記レンズホルダーのフォーカシング用コイルに対向配備されるマグネットが取り付けられた立上り片が曲成されていて、上記レンズホルダーが、フォーカス方向及びトラッキング方向に変位制御されるようになっている光学ピックアップの二軸アクチュエータにおいて、
上記立上り片の根元の曲成部をその立上り片の他の部位の横幅に対し拡幅することによって上記ベース部材の強度を高めていることを特徴とする光学ピックアップの二軸アクチュエータ。
【請求項３】
上記立上り片の拡幅部分は、その根元の曲成部に近い箇所ほど幅広になっている請求項２に記載した光学ピックアップの二軸アクチュエータ。
【請求項４】
上記立上り片が、上記マグネットの取付区画と、その取付区画からその立上り片の根元に至る下部区画とに分かれていて、その下部区画の全体が上記拡幅部分として形成されている請求項３に記載した光学ピックアップの二軸アクチュエータ。
【発明の詳細な説明】
【０００１】
【発明の属する技術分野】
本発明は、コンパクトディスク（ＣＤ）、ミニディスク（ＭＤ）、デジタルバーサタイルディスク（ＤＶＤ）などのディスクに対して信号を記録又は再生することに用いられる光学ピックアップの二軸アクチュエータ、特に、レンズホルダーが取り付けられたベース部材の強度を高めることによって周波数特性を改善するようにした光学ピックアップの二軸アクチュエータに関する。
【０００２】
【従来の技術】
図４に従来の二軸アクチュエータを分解斜視図で示してある。この二軸アクチュエータは、対物レンズ１１とトラッキング用コイル１５及びフォーカシング用コイル１２とを備えるレンズホルダー１と、ベース部材２とを備えている。ベース部材２は、ビーム通過口２１を有する下板部２２の幅方向両側で折曲げ形成されて上方へ延び出た左右対称な一対の立上り片２３，２３と、下板部２２から上方へ延び出た支軸部２４と、この支軸部２４を挟む両側に配備された一対の突片部２５，２５とを備えていて、一対の立上り片２３，２３のそれぞれの内面には各別にマグネット２６が取り付けられている。
【０００３】
そして、レンズホルダー１に設けられた孔部１３がベース部材２の支軸部２４に軸方向摺動自在及び及び周方向回転自在に嵌合され、かつ、孔部１３の両側の開口１４，１４がベース部材２の突片部２５，２５に各別に遊嵌される。また、レンズホルダー１には磁性体が具備され、この磁性体がベース部材２側の左右のマグネット２６，２６の吸引作用を受けることにより、レンズホルダー１が支軸部２４の軸方向中間部に浮遊状態で保持されるようになっている。
【０００４】
この二軸アクチュエータでは、レンズホルダー１がフォーカシング用コイル１２、トラッキング用コイル１５、マグネット２６などの共働による電磁的作用によってフォーカス方向（軸方向）及びトラッキング方向（回転方向）に変位制御される。
【０００５】
この構成を備えた従来の二軸アクチュエータにおいて、マグネット２６が取り付けられているベース部材２の左右それぞれの立上り片２３は、図５に示したように、側面視矩形、すなわち、上端２７から根元の曲成部２８に至る全高部分がどの箇所も同一の幅寸法になっていて、その立上り片２３の前後の端縁２９，２９の輪郭線は下板部２２に対して垂直なまっすぐな線によって形成されていた。
【０００６】
一方、近時ではオーディオビジュアル機器（ＡＶ機器）の記録媒体である光ディスクでは記録情報の高密度が促進されているのに伴い、その記録情報を読み取る光学ピックアップとしても周波数特性を改善してディスクの記録情報の高密度化に対処することが要求されている。
【０００７】
このような状況の下で、従来、光学ピックアップの可動部、具体的にはレンズホルダーの剛性を高めることによって共振周波数特性を改善することが知られている。そして、そのための具体策として、可動部であるレンズホルダーに、そのレンズホルダーよりも高剛性を備えた材質でなる補強部材を張り合わせるという対策を講じることが提案されている（たとえば特許文献１参照）。また、レンズホルダーの片持ち形状に突出された対物レンズ取付部の根元を自由端よりも厚肉にすることによってレンズホルダーの剛性を高めるようにしたものもあった（たとえば特許文献２参照）。
【０００８】
【特許文献１】
特開平１１−６６５８５号公報
【特許文献２】
特開平８−１９４９６２公報
【０００９】
【発明が解決しようとする課題】
しかしながら、図４又は図５で説明した従来例では、レンズホルダー１をフォーカス方向（軸方向）及びトラッキング方向（回転方向）に変位制御するための要素であるマグネット２６の取り付けられたベース部材２の立上り片２３が、側面視矩形、さらに具体的には側面視で縦長の長方形に形成されているために、記録情報が高密度化されたディスクの読取りに際して共振を起こしやすいという点が知見された。
【００１０】
この点を改善するためには、上掲の特許文献１，２の考え方を応用して立上り片２３に剛性の大きな補強部材を張り合わせたり立上り片２３を厚肉化したりすることによりその剛性を高めるということが有益であるとも考えられる。
【００１１】
しかし、図４又は図５で説明したようにベース部材２の下板部２２の幅方向両側を折り曲げることによって左右の立上り片２３，２３を形成するという場合には、立上り片２３を厚肉化するためにはベース部材２を製作するための金属板全体の板厚を厚くすることを余儀なくされ、そのようにすると、ベース部材２の製作コストが高騰するという問題が生じる。
【００１２】
本発明は以上の状況や問題に鑑みてなされたものであり、ベース部材の立上り片に高剛性の補強部材を張り合わせたり、ベース部材を製作するための金属板を厚肉化したりすることなく、その金属板を折り曲げて形成される上記立上り片の剛性を高めて光学ピックアップの周波数特性を改善することを目的としている。
【００１３】
【課題を解決するための手段】
本発明に係る光学ピックアップの二軸アクチュエータは、対物レンズとトラッキング用コイル及びフォーカシング用コイルとを備えるレンズホルダをフォーカス方向及びトラッキング方向に変位可能に保持するベース部材に、上記レンズホルダーのフォーカシング用コイルに対向配備されるマグネットが取り付けられた立上り片が曲成されていて、上記レンズホルダーが、フォーカス方向及びトラッキング方向に変位制御されるようになっている光学ピックアップの二軸アクチュエータにおいて、上記立上り片の根元の曲成部をその立上り片の他の部位の横幅に対し拡幅することによって上記ベース部材の強度を高めている、というものである。
【００１４】
この構成であれば、ベース部材を製作するための金属板の板厚を厚肉化することなく、ベース部材に曲成された立上り片の剛性が高まって立上り片が振動しにくくなり、光学ピックアップの周波数特性が改善されてディスクの記録情報の高密度化に対処しやすくなる。
【００１５】
本発明において、上記立上り片の拡幅部分は、その根元の曲成部に近い箇所ほど幅広になっていることが望ましい。これによれば、立上り片の根元に近い箇所ほど高強度が付与されるようになるため、立上り片の振動特性が効果的に改善されて光学ピックアップの周波数特性が顕著に改善される。
【００１６】
本発明では、上記立上り片が、上記マグネットの取付区画と、その取付区画からその立上り片の根元に至る下部区画とに分かれていて、その下部区画の全体が上記拡幅部分として形成されている、という構成を採用することが可能である。これによれば、立上り片のマグネット取付区画を図４又は図５で説明した従来例と同等の幅に据え置いたままで立上り片の剛性を高めることができるので、立上り片の専有スペースを拡大することなく立上り片の剛性を高めて光学ピックアップの周波数特性を改善することが可能になる。そのため、立上り片によって他の部品の設置スペースが狭められるといった事態が起こりにくい。
【００１７】
本発明に係る光学ピックアップの二軸アクチュエータは、対物レンズとトラッキング用コイル及びフォーカシング用コイルとを備えるレンズホルダをフォーカス方向及びトラッキング方向に変位可能に保持するベース部材に、上記レンズホルダーのフォーカシング用コイルに対向配備されるマグネットが取り付けられた立上り片が曲成されていて、上記レンズホルダーが、フォーカス方向及びトラッキング方向に変位制御されるようになっている光学ピックアップの二軸アクチュエータにおいて、上記立上り片の上端から根元の曲成部に至る全高部分で根元に近い箇所ほど幅広になるように拡幅することによって上記ベース部材の強度を高めている、という構成を採用することも可能てあり、これによっても、立上り片の根元に近い箇所ほど高強度が付与されるようになるため、立上り片の振動特性が効果的に改善されて光学ピックアップの周波数特性が顕著に改善される。
【００１８】
【発明の実施の形態】
図１は本発明に係る光学ピックアップに用いられるベース部材２の概略斜視図、図２は図１のＩＩ矢視拡大図である。
【００１９】
図１のベース部材２は、図４又は図５を参照して説明した従来のベース部材２と同様の要素で成り立っているけれども、左右対称に形成されている立上り片２３，２３の側面視形状が図４又は図５のものと異なっている。すなわち、このベース部材２は、ビーム通過口２１を有する下板部２２の幅方向両側で折曲げ形成されて上方へ延び出た左右対称な一対の立上り片２３，２３と、下板部２２から上方へ延び出た支軸部２４と、この支軸部２４を挟む両側に配備された一対の突片部２５，２５とを備えていて、一対の立上り片２３，２３のそれぞれの内面には各別にマグネット２６が取り付けられている。
【００２０】
そして、図１又は図２に示したように、立上り片２３は、上側に位置するマグネット２６の取付区画ａと、その取付区画ａからその立上り片２３の根元３１に至る下部区画ｂとに分かれていて、上側の取付区画ａが矩形のマグネット２６と略同じ大きさに形成され、かつ、下部区画ｂの全体が、取付区画ａよりも拡幅されている。より具体的には、立上り片２３の根元３１の曲成部３２をその立上り片２３の他の部位、すなわち取付区画ａの横幅に対し拡幅してあり、しかも、その拡幅部分である下側区画ｂが台形に形成されて根元３１の曲成部３２に近い箇所ほど幅広になっている。
【００２１】
ベース部材２の下板部２２の幅方向両側で折曲げ形成されて上方へ延び出た左右対称な一対の立上り片２３，２３が上記の側面視形状に形成されていると、ベース部材２を形成するための金属板の板厚を厚くしなくてもそれらの立上り片２３，２３の剛性が高まり、ひいてはベース部材２の全体強度が高まるので、立上り片２３，２３が振動しにくくなり、光学ピックアップの周波数特性が改善されてディスクの記録情報の高密度化に対処しやすくなる。また、立上り片２３の取付区画ａを図４又は図５で説明した従来例と同等の幅に据え置いたままで立上り片２３の剛性が高まるので、立上り片２３の専有スペースを拡大することなく立上り片２３の剛性を高めて光学ピックアップの周波数特性を改善することが可能になり、その結果、立上り片２３によって他の部品の設置スペースが狭められるといった事態が起こりにくいという利点がある。
【００２２】
図３は他の実施形態を示している。この事例では、立上り片２３の全体を台形にしてある。すなわち、立上り片２３の上端３２から根元３１の曲成部３２に至る全高部分で根元３１に近い箇所ほど幅広になるように拡幅することによってベース部材２の強度を高めてある。これによれば、立上り片２３に、その根元に近い箇所ほど高強度が付与されるようになるため、立上り片２３の振動特性が効果的に改善されて光学ピックアップの周波数特性が顕著に改善される。
【００２３】
図１〜図３を参照して説明したベース部材２には、図４で説明したものと同一のレンズホルダー１が取り付けられる。すなわち、対物レンズ１１とトラッキング用コイル１５及びフォーカシング用コイル１２とを備えるレンズホルダー１の孔部１３が、ベース部材２の支軸部２４に軸方向摺動自在及び及び周方向回転自在に嵌合され、かつ、孔部１３の両側の開口１４，１４がベース部材２の突片部２５，２５に各別に遊嵌される。また、レンズホルダー１には磁性体が具備され、この磁性体がベース部材２側の左右のマグネット２６，２６の吸引作用を受けることにより、レンズホルダー１が支軸部２４の軸方向中間部に浮遊状態で保持される。そして、レンズホルダー１がフォーカシング用コイル１２、トラッキング用コイル１５、マグネット２６などの共働による電磁的作用によってフォーカス方向（軸方向）及びトラッキング方向（回転方向）に変位制御される。
【００２４】
本発明に係る光学ピックアップの二軸アクチュエータは、図１〜図３で説明した各実施形態の構成に限定されるものではなく、立上り片２３の根元３１の曲成部３２をその立上り片２３の他の部位の横幅に対し拡幅することによってベース部材２の強度を高めているものであればよく、そのように構成されていることにより、立上り片２３に、その根元に近い箇所ほど高強度が付与されて立上り片２３の振動特性が効果的に改善され、光学ピックアップの周波数特性が改善されてディスクの記録情報の高密度化に対処しやすくなる。
【００２５】
なお、図１〜図５では同一又は相応する部分に同一符号を付してある。
【００２６】
【発明の効果】
以上のように、本発明によれば、ベース部材の立上り片に高剛性の補強部材を張り合わせたり、ベース部材を製作するための金属板を厚肉化したりすることなく、その金属板を折り曲げて形成される立上り片の剛性を高めて光学ピックアップの周波数特性を改善することにより、ディスクの記録情報の高密度化に対処することかできるようになる。そのため、ディスクの記録情報の高密度化に対処し得る光学ピックアップの二軸アクチュエータを安価に提供することが可能になる。
【図面の簡単な説明】
【図１】本発明に係る光学ピックアップに用いられるベース部材の概略斜視図である。
【図２】図１のＩＩ矢視拡大図である。
【図３】他の実施形態に係るベース部材の立上り片の形状を示した側面図である。
【図４】従来の二軸アクチュエータの分解斜視図である。
【図５】図４のベース部材の立上り片の形状を示した側面図である。
【符号の説明】
１  レンズホルダー
２  ベース部材
１２  フォーカシング用コイル
１３  対物レンズ
１５  トラッキング用コイル
２３  立上り片
２６  マグネット
３１  立上り片の根元
３２  曲成部
３３  立上り片の上端
ａ  マグネットの取付区画
ｂ  下部区画
【図１】
0003649403.tif 000002
【図２】
0003649403.tif 000003
【図３】
0003649403.tif 000004
【図４】
0003649403.tif 000005
【図５】
0003649403.tif 000006